(57)【特許請求の範囲】
【請求項１】
左右のファスナーテープ(3,63)にエレメント列(4,64)が形成された一対の第１及び第２ファスナーストリンガー(2a,2b,62a,62b) と、前記第１及び第２ファスナーストリンガー(2a,2b,62a,62b) における各エレメント列(4,64)の一端部に固着された一対の第１及び第２開離嵌挿部材(10,20,40,45,50,70,80)と、前記第１ファスナーストリンガー(2a,62a)の前記エレメント列(4,64)に沿って摺動可能に取着されたスライダー(30,90a)とを備え、前記スライダー(30,90a)は、案内柱(34,94) と、前記案内柱(34,94) に連結された上下翼板(32,33) と、前記上下翼板(32,33) の少なくとも一方の左右側縁に配されたフランジ部(35,95) と、前記スライダー(30,90a)の左右側縁部に形成されたテープ挿通間隙とを有し、前記第１開離嵌挿部材(10,50,70)は、前記スライダー(30,90a)を摺動端部で保持するスライダー保持部(11,51,72)を有し、前記第２開離嵌挿部材(20,40,45,80)は、前記スライダー保持部(11,51,72)に保持された前記スライダー(30,90a)に対して、前記テープ挿通間隙を介してテープ幅方向に挿抜可能に構成されたスライドファスナー(1,6,61)であって、
前記第２開離嵌挿部材(20,40,45,80) は、前記ファスナーテープ(3,63)に固着された板状の本体部(21,81) と、前記本体部(21,81) の前記エレメント列(4,64)側の端部に配され、前記本体部(21,81) より厚く形成された突起部(24,44,49,85) とを有し、
前記突起部(24,44,49,85) は、前記第１開離嵌挿部材(10,50,70)に対向する側に配された対向端部(24e,49e,85e) と、前記第１開離嵌挿部材(10,50,70)に対向する側とは反対の側に配された側面部(24c,49c,85c) とを有し、
前記突起部(24,44,49,85) のテープ幅方向における寸法を第１寸法Ａとし、前記突起部(24,44,49,85) の前記側面部(24c,49c,85c) における前記エレメント列(4,64)側とは反対側の後端部と前記第１開離嵌挿部材(10,50,70)に対向する側の前記対向端部(24e,49e,85e) との間の寸法を第２寸法Ｂとし、前記スライダー(30,90a)の前記肩口側のエレメント案内路(38)における前記案内柱(34,94) と前記フランジ部(35,95) との間の間隔に等しい寸法を第３寸法Ｃとしたとき、前記突起部(24,44,49,85) は、第１寸法Ａ＜第３寸法Ｃ＜第２寸法Ｂの関係を有してなる、
ことを特徴とするスライドファスナー。
【請求項２】
前記側面部(24c,85c) の前記後端部は、前記対向端部(24e,85e) よりもテープ長さ方向の後方側の位置に配され、
前記側面部(24c,85c) の前記後端部と前記対向端部(24e,49e,85e) との間に斜面部(24d,85d) が配されてなる、
請求項１記載のスライドファスナー。
【請求項３】
前記スライダー(30,90a)が前記スライダー保持部(11,51,72)に保持され、前記第２開離嵌挿部材(20,40,45,80)が前記第１開離嵌挿部材(10,50,70)に対して非正規位置で保持された場合、前記突起部(24,44,49,85) の前記対向端部(24e,49e,85e) 及び前記側面部(24c,49c,85c) が、前記スライダー(30,90a)の前記案内柱(34,94) 及び前記フランジ部(35,95) にそれぞれ当接してなる請求項１記載のスライドファスナー。
【請求項４】
前記スライダー(30,90a)が前記スライダー保持部(11,51,72)に保持され、前記第２開離嵌挿部材(20,40,45,80)が前記第１開離嵌挿部材(10,50,70)に対して正規位置で保持された場合、前記突起部(24,44,49,85) が前記スライダー(30,90a)の前記案内柱(34,94) 又は前記フランジ部(35,95) に当接してなる請求項１又は請求項２記載のスライドファスナー。
【請求項５】
前記スライダー保持部(51)は、前記第２開離嵌挿部材(20)と対向する側とは反対の側に突出する膨大部(58)を有してなる請求項１記載のスライドファスナー。
【発明の詳細な説明】
【技術分野】
【０００１】
本発明は、一方の第１ファスナーストリンガーに設けられた第１開離嵌挿部材と、他方の第２ファスナーストリンガーに設けられた第２開離嵌挿部材と、第１ファスナーストリンガーのエレメント列に沿って摺動可能に取着されたスライダーとを有し、第１開離嵌挿部材のスライダー保持部に保持したスライダーに対して第２開離嵌挿部材を挿抜することにより開離嵌挿操作を行うことが可能なスライドファスナーに関する。
【背景技術】
【０００２】
スライドファスナーの開離嵌挿具の使い易さを向上させるために、２種類の操作でスライドファスナーの開離嵌挿操作を行うことが可能なスライドファスナーが特開２００８−４３５６８号公報（特許文献１）に開示されている。【０００３】
この特許文献１に記載されているスライドファスナー１０１は、図１８〜２０に示したように、左右のファスナーテープ１０２のテープ側縁部にエレメント列１０４が形成された一対の第１及び第２ファスナーストリンガー１０６ａ，１０６ｂと、第１及び第２ファスナーストリンガー１０６ａ，１０６ｂにおけるエレメント列１０４の一端部に固着された一対の第１及び第２開離嵌挿部材１１０，１２０と、エレメント列１０４に沿って摺動可能に配されたスライダー１３０とを備えている。【０００４】
前記スライダー１３０は、上翼板と、下翼板と、上下翼板を連結する案内柱１３１と、上下翼板の左右側端縁に配された上下フランジ部１３２と、上翼板に取着された図示しない引手とを有している。また、スライダー１３０の後端側には後口が配され、案内柱１３１の両側には左右の肩口が配されている。更に、上下翼板間には、左右の肩口と後口とを連通する略Ｙ字状のエレメント案内路１３３が形成されている。【０００５】
前記第１開離嵌挿部材１１０は、一方（右側）のファスナーテープ１０２の表裏両面に形成されたスライダー保持部１１１と、スライダー保持部１１１から後方に延設された厚肉の枢止部１１２と、スライダー保持部１１１よりもテープ内方に形成された補強部１１３と、第２開離嵌挿部材１２０に対向する側面に配された凹溝部１１４とを有している。【０００６】
前記枢止部１１２は、スライダー保持部１１１の後端からテープ後端部まで延設され、そのテープ後端部から第２開離嵌挿部材１２０側に向けて湾曲して形成されているため、正面視にて略Ｊ字形状を有している。また、この枢止部１１２は、第２開離嵌挿部材１２０の後述する被枢止部１２２を嵌入可能なように前方が開口する枢動空間１１５と、この枢動空間１１５に嵌入された被枢止部１２２を回転自在に係止する内周面１１６とを有している。更に、枢止部１１２の先端部には、枢止部１１２の内周面１１６から外周面に貫通させたスリット１１７が形成されている。【０００７】
前記第２開離嵌挿部材１２０は、他方（左側）のファスナーテープ１０２の表裏両面に一体に形成された薄板状の嵌込板部１２１と、嵌込板部１２１の後端部に形成された被枢止部１２２と、嵌込板部１２１のテープ内側側縁に沿って形成された突条部１２３と、嵌込板部１２１の前端部にエレメント列１０４から連続するように形成された突起部１２４と、嵌込板部１２１の表面及び裏面に形成された窪み部１２５とを有している。【０００８】
この第２開離嵌挿部材１２０において、嵌込板部１２１は平坦に形成されており、テープ表裏方向の板厚がスライダー１３０の上下フランジ部１３２間に設けられたテープ挿通間隙（テープ溝とも言う）の間隔よりも小さく形成されている。また、嵌込板部１２１には、テープ後端部から前方に向けて切り込まれた切欠き部１２６が設けられている。被枢止部１２２は、嵌込板部１２１の後端部に円柱状に形成されており、同被枢止部１２２のテープ表裏方向における厚さ寸法は、スライダー１３０の上翼板と下翼板間の間隔よりも小さく形成されている。【０００９】
このような構成を有する特許文献１のスライドファスナー１０１では、左右の第１及び第２ファスナーストリンガー１０６ａ，１０６ｂを閉鎖する際に、第２開離嵌挿部材１２０を第１開離嵌挿部材１１０に係止させる係止操作を、以下に示す２種類の操作の中から任意に選択することができる。【００１０】
最初に、第１の係止操作として、スライドファスナー１０１を閉鎖する際に、第２開離嵌挿部材１２０の被枢止部１２２を、スライダー１３０のエレメント案内路１３３に通すことなく、第１開離嵌挿部材１１０の側方から挿入することにより第１開離嵌挿部材１１０に係止させる操作について説明する。【００１１】
この第１の係止操作を行う場合、先ず、スライダー１３０を第１開離嵌挿部材１１０に向けて摺動させ、同スライダー１３０をスライダー保持部１１１に保持する。次に、第２開離嵌挿部材１２０の被枢止部１２２を、図１９に示したように、第１開離嵌挿部材１１０の枢止部１１２とスライダー１３０との間に形成された間隙を介して枢動空間１１５に挿入し、更に、その被枢止部１２２を枢止部１１２の内周面１１６に当接させる。これにより、第２開離嵌挿部材１２０を第１開離嵌挿部材１１０に係止させることができる。【００１２】
続いて、被枢止部１２２を中心にして第２開離嵌挿部材１２０を第１開離嵌挿部材１１０に向けて回動させ、第２開離嵌挿部材１２０の嵌込板部１２１をスライダー１３０のテープ挿通間隙を介してエレメント案内路１３３内に挿入する。これにより、左右のエレメント列１０４が、安定した噛合が行えるように位置決めされる。【００１３】
その後、嵌込板部１２１がスライダー１３０のエレメント案内路１３３内に挿入されている状態でスライダー１３０を上方に摺動させる。これによって、第２開離嵌挿部材１２０の嵌込板部１２１を第１開離嵌挿部材１１０の凹溝部１１４に嵌合させるとともに、左右のエレメント列１０４を噛合させてスライドファスナー１０１を閉鎖させることができる。【００１４】
次に、第２の係止操作として、スライドファスナー１０１を閉鎖する際に、第２開離嵌挿部材１２０の被枢止部１２２を、スライダー１３０のエレメント案内路１３３を介して第１開離嵌挿部材１１０の枢動空間１１５に挿入することにより第１開離嵌挿部材１１０に係止させる操作について簡単に説明する。【００１５】
この第２の係止操作を行う場合、先ず、前記第１の係止操作と同様に、スライダー１３０を第１開離嵌挿部材１１０に向けて摺動させ、同スライダー１３０をスライダー保持部１１１に保持する。次に、図２０に示したように、第２開離嵌挿部材１２０の被枢止部１２２をスライダー１３０の肩口から挿入する。これにより、第２開離嵌挿部材１２０の被枢止部１２２は、スライダー１３０のエレメント案内路１３３を通過して第１開離嵌挿部材１１０の枢動空間１１５に挿入され、更に、枢止部１１２の内周面１１６に当接することにより、同枢止部１１２に係止される。【００１６】
これにより、左右のエレメント列１０４が、安定した噛合が行えるように位置決めされる。その後、嵌込板部１２１をスライダー１３０のエレメント案内路１３３内に挿入した状態でスライダー１３０を上方に摺動させることによって、前記第１の係止操作と同様に、スライドファスナー１０１を閉鎖させることができる。【００１７】
なお、特許文献１において、閉鎖させた状態のスライドファスナー１０１を開離させるときには、スライダー１３０を第１開離嵌挿部材１１０に向けて摺動してスライダー保持部１１１に保持させる。続いて、枢止部１１２に係止している第２開離嵌挿部材１２０の被枢止部１２２を、第１開離嵌挿部材１１０とスライダー１３０との間に形成された隙間を通過させて抜脱する、又は、スライダー１３０のエレメント案内路１３３を通過させて抜脱する。これにより、左右の第１及び第２ファスナーストリンガー１０６ａ，１０６ｂを分離することができる。【００１８】
以上のように、特許文献１のスライドファスナー１０１は、上述の第１の係止操作と第２の係止操作の２種類の異なる操作を行うことが可能な構造を有しているため、スライドファスナー１０１の使用者は、スライドファスナー１０１を閉鎖させる際にどちらか一方の係止操作を任意に採用することができる。従って、同スライドファスナー１０１は、開離嵌挿操作の操作性に優れおり、誰にでも簡単に使いこなすことができるといった利点を有している。
【先行技術文献】
【特許文献】
【００１９】
【特許文献１】特開２００８−４３５６８号公報
【発明の概要】
【発明が解決しようとする課題】
【００２０】
特許文献１に記載されているような２種類の異なる開離嵌挿操作を行うことが可能なスライドファスナー１０１は、第２開離嵌挿部材１２０の被枢止部１２２を第１開離嵌挿部材１１０の枢止部１１２に係止させて、第２開離嵌挿部材１２０を正規の位置に保持した状態で、スライダー１３０をファスナー閉鎖方向に移動させることにより、上述のように左右のエレメント列１０４を円滑に噛合させることができる。【００２１】
一方、第２開離嵌挿部材１２０が第１開離嵌挿部材１１０に対して所定の正規の位置に係止されていない状態であっても、スライドファスナーの使用者が気付かない場合には、スライダー１３０を誤って操作してファスナー閉鎖方向に移動させることがあった。【００２２】
具体的には、例えば第２開離嵌挿部材１２０の被枢止部１２２が第１開離嵌挿部材１１０の枢止部１１２に嵌め込まれてないものの、第２開離嵌挿部材１２０の突起部１２４がスライダー１３０のエレメント案内路１３３内に挿入された場合、使用者は誤ってスライダー１３０をファスナー閉鎖方向に移動させることがあった。【００２３】
この場合、特許文献１のスライドファスナー１０１では、第２開離嵌挿部材１２０の被枢止部１２２が第１開離嵌挿部材１１０の枢止部１１２に係止されていない状態にあるにも関わらず、スライダー１３０がファスナー閉鎖方向に容易に摺動するため、左右のエレメント列１０４が不正に噛み合わせられてスライドファスナー１０１を閉鎖させることがあった。【００２４】
しかし、このように被枢止部１２２が枢止部１１２に係止されていない状態でスライドファスナー１０１を閉鎖させても、第１開離嵌挿部材１１０と第２開離嵌挿部材１２０とが互いに分離しているため、同スライドファスナー１０１に対して、第１及び第２ファスナーストリンガー１０６ａ，１０６ｂを引き離す方向に引っ張る横引き力が与えられたときに、第１及び第２開離嵌挿部材１１０，１２０間でその横引き力に耐えることができない。従って、噛合状態にある左右のエレメント列１０４が第１及び第２開離嵌挿部材１１０，１２０側の端部から簡単に分離してしまい、スライドファスナー１０１に故障を生じさせるという問題があった。【００２５】
更に、上述のように被枢止部１２２が枢止部１１２に係止されてない状態でスライダー１３０をファスナー閉鎖方向に摺動させる場合、第２開離嵌挿部材１２０の突起部１２４と第１ファスナーストリンガー１０６ａのファスナーエレメントとの相対的な位置が合わせられていないため、両部材の位置関係がずれていることが多い。【００２６】
このように突起部１２４と第１ファスナーストリンガー１０６ａのファスナーエレメントとの位置がずれている場合、突起部１２４が第１ファスナーストリンガー１０６ａのファスナーエレメントと適切に噛み合わないものの、使用者によってはスライダー１３０を強引に引っ張ってスライダー１３０を無理に摺動させてしまい、第１及び第２開離嵌挿部材１１０，１２０やファスナーエレメントに破損を生じさせることがあった。【００２７】
本発明は上記従来の課題に鑑みてなされたものであって、その具体的な目的は、第２開離嵌挿部材が第１開離嵌挿部材に対して正規の位置に係止されていない場合にスライダーを摺動させようとしても、エレメント列の噛合が妨げられ、第１及び第２開離嵌挿部材の位置ずれに起因して故障や破損が生じることのないスライドファスナーを提供することにある。
【課題を解決するための手段】
【００２８】
上記目的を達成するために、本発明により提供されるスライドファスナーは、基本的な構成として、左右のファスナーテープにエレメント列が形成された一対の第１及び第２ファスナーストリンガーと、前記第１及び第２ファスナーストリンガーにおける各エレメント列の一端部に固着された一対の第１及び第２開離嵌挿部材と、前記第１ファスナーストリンガーの前記エレメント列に沿って摺動可能に取着されたスライダーとを備え、前記スライダーは、案内柱と、前記案内柱に連結された上下翼板と、前記上下翼板の少なくとも一方の左右側縁に配されたフランジ部と、前記スライダーの左右側縁部に形成されたテープ挿通間隙とを有し、前記第１開離嵌挿部材は、前記スライダーを摺動端部で保持するスライダー保持部を有し、前記第２開離嵌挿部材は、前記スライダー保持部に保持された前記スライダーに対して、前記テープ挿通間隙を介してテープ幅方向に挿抜可能に構成されたスライドファスナーであって、前記第２開離嵌挿部材は、前記ファスナーテープに固着された板状の本体部と、前記本体部の前記エレメント列側の端部に配され、前記本体部より厚く形成された突起部とを有し、前記突起部は、前記第１開離嵌挿部材に対向する側に配された対向端部と、前記第１開離嵌挿部材に対向する側とは反対の側に配された側面部とを有し、前記突起部のテープ幅方向における寸法を第１寸法Ａとし、前記突起部の前記側面部における前記エレメント列側とは反対側の後端部と前記第１開離嵌挿部材に対向する側の前記対向端部との間の寸法を第２寸法Ｂとし、前記スライダーの前記肩口側のエレメント案内路における前記案内柱と前記フランジ部との間の間隔に等しい寸法を第３寸法Ｃとしたとき、前記突起部は、第１寸法Ａ＜第３寸法Ｃ＜第２寸法Ｂの関係を有してなることを最も主要な特徴とするものである。【００２９】
本発明に係るスライドファスナーにおいて、前記側面部の前記後端部は、前記対向端部よりもテープ長さ方向の後方側の位置に配され、前記側面部の前記後端部と前記対向端部との間に斜面部が配されていることが好ましい。【００３０】
また、本発明のスライドファスナーにおいて、前記スライダーが前記スライダー保持部に保持され、前記第２開離嵌挿部材が前記第１開離嵌挿部材に対して非正規位置で保持された場合、前記突起部の前記対向端部及び前記側面部が、前記スライダーの前記案内柱及び前記フランジ部にそれぞれ当接していることが好ましい。【００３１】
一方、前記スライダーが前記スライダー保持部に保持され、前記第２開離嵌挿部材が前記第１開離嵌挿部材に対して正規位置で保持された場合、前記突起部が前記スライダーの前記案内柱又は前記フランジ部に当接していることが好ましい。【００３２】
更に、本発明のスライドファスナーにおいて、前記スライダー保持部は、前記第２開離嵌挿部材と対向する側とは反対の側に突出する膨大部を有していることが好ましい。
【発明の効果】
【００３３】
本発明のスライドファスナーは、第１及び第２ファスナーストリンガーのエレメント列の一端部に一対の第１及び第２開離嵌挿部材が固着されており、第１開離嵌挿部材は、スライダーを摺動端部で保持するスライダー保持部を有している。【００３４】
また、第２開離嵌挿部材は、ファスナーテープに固着された板状の本体部と、本体部のエレメント列側の端部（前端部）に配され、本体部よりテープ表裏方向に厚く形成された突起部とを有し、この突起部は、第１開離嵌挿部材に対向する側に配された対向端部と、第１開離嵌挿部材に対向する側とは反対の側に配されたテープ内方側の側面部とを有している。なお、突起部の対向端部とは、第１開離嵌挿部材に対向する側にテープ長さ方向に略平行な対向側面部が配されている場合には、その対向側面部におけるエレメント列側の端部（角部）をいう。【００３５】
更に本発明のスライドファスナーでは、突起部のテープ幅方向における寸法を第１寸法Ａとし、突起部におけるテープ内方側側面部の後端部と対向端部との間の寸法を第２寸法Ｂとし、スライダーの肩口側のエレメント案内路における案内柱とフランジ部との間の間隔に等しい寸法を第３寸法Ｃとした場合に、前記突起部は、第１寸法Ａ＜第３寸法Ｃ＜第２寸法Ｂの関係を有するように構成されている。【００３６】
このような突起部が第２開離嵌挿部材に配された本発明のスライドファスナーは、突起部の第２寸法Ｂがスライダーの第３寸法Ｃよりも大きく設定されているため、第２開離嵌挿部材が第１開離嵌挿部材に対して正規の位置からずれた位置（非正規位置）に係止された場合に、突起部がスライダーの案内柱とフランジ部とに引っ掛かるように構成されている。【００３７】
これにより、第２開離嵌挿部材が上述のように非正規位置に保持されている場合にスライダーを摺動させようとしても、突起部がスライダーに引っ掛かってスライダーの摺動を妨げる。その結果、使用者は、第２開離嵌挿部材が非正規位置に保持されている状態でスライダーを誤って操作してもファスナー閉鎖方向に移動させることができなくなるため、左右のエレメント列が従来のように不正に噛み合わせられることを確実に防止できる。【００３８】
即ち、本発明のスライドファスナーは、第２開離嵌挿部材が第１開離嵌挿部材に対して正規位置から外れて係止された場合に、左右のエレメント列を噛み合わせることができないように構成されている。このため、例えば従来のように不正に噛み合せられた左右のエレメント列が横引き力を受けて簡単に分離するといった問題や、スライダーが強引に引っ張られて第１及び第２開離嵌挿部材やファスナーエレメントに破損を生じさせるといった問題が発生することを防止できる。【００３９】
一方、本発明のスライドファスナーは、突起部の第１寸法Ａがスライダーの第３寸法Ｃよりも小さく設定されているため、第２開離嵌挿部材が第１開離嵌挿部材に対して正規の位置に係止された場合に、突起部がスライダーの案内柱とフランジ部との間を円滑に挿通可能なように構成されている。これにより、第２開離嵌挿部材が正規位置に係止されている場合にスライダーを閉鎖方向に摺動させることによって、左右のエレメント列を円滑に且つ適切に噛み合せて、スライドファスナーを安定して閉鎖させることができる。【００４０】
本発明のスライドファスナーにおいて、突起部の側面部における後端部は、対向端部よりもテープ長さ方向の後方側の位置に配されており、また、側面部の後端部と対向端部との間には斜面部が配されている。これにより、例えば第２開離嵌挿部材を、第１開離嵌挿部材のスライダー保持部に保持されたスライダーに対して、テープ挿通間隙を介してテープ幅方向に挿入する場合、突起部に配された斜面部を利用して同突起部をスライダーのエレメント案内路内に円滑に導入することができる。【００４１】
また、突起部がスライダーのエレメント案内路内に導入されたときに、突起部の前記後端部をスライダーのフランジ部に安定して当接させることができるため、第２開離嵌挿部材が第１開離嵌挿部材に係止されている状態を安定して維持することができる。更に、突起部の側面部が後方側に長く形成されていることにより、第２開離嵌挿部材が正規位置に係止されている状態でスライダーを閉鎖方向に摺動させることにより、突起部がスライダーの後口側に相対的に移動するとともに、同突起部に続く第２ファスナーストリンガーのエレメント列をスライダーのエレメント案内路内に円滑に挿通させることができる。【００４２】
また、本発明のスライドファスナーは、スライダーがスライダー保持部に保持され、第２開離嵌挿部材が第１開離嵌挿部材に対して非正規位置で保持された場合、突起部の対向端部及びテープ内方側側面部が、スライダーの案内柱及びフランジ部にそれぞれ当接するように構成されている。これにより、第２開離嵌挿部材が非正規位置に保持されている場合に、突起部をスライダーの案内柱及びフランジ部に確実に引っ掛けることができるため、左右のエレメント列が不正に噛み合うことを確実に防止できる。【００４３】
一方、本発明のスライドファスナーは、スライダーがスライダー保持部に保持され、第２開離嵌挿部材が第１開離嵌挿部材に対して正規位置で保持された場合、突起部がスライダーの案内柱又はフランジ部に当接するように、好ましくは案内柱に当接するように構成されている。これにより、第２開離嵌挿部材が正規位置に係止されている場合にスライダーを閉鎖方向に摺動させることによって、突起部をスライダーに引っ掛からせることなく、スライダーを円滑に摺動させることができる。【００４４】
更に、本発明のスライドファスナーにおいて、前記スライダー保持部は、第２開離嵌挿部材と対向する側とは反対の側に突出する膨大部を有している。これにより、スライダー保持部にスライダーを保持したときに、スライダー保持部に膨大部が配されていない場合に比べて、スライダーをテープ長さ方向に対して第２開離嵌挿部材側に大きく傾斜させることができる。【００４５】
そして、このようにスライダーを積極的に大きく傾斜させて保持することができれば、非正規位置で保持された第２開離嵌挿部材の突起部をスライダーの案内柱とフランジ部とに当接させたときに、突起部と案内柱の接触点と、突起部とフランジ部の接触点との間の距離を小さく縮めることができる。その結果、突起部のテープ長さ方向における寸法をより小さく設定することが可能となる。
【図面の簡単な説明】
【００４６】
【図１】図１は、本発明の実施例１に係るスライドファスナーを示す正面図である。
【図２】図２は、同スライドファスナーにおける第１及び第２開離嵌挿部材を示す斜視図である。
【図３】図３は、スライダーをスライダー保持部に保持した第１開離嵌挿部材と第２開離嵌挿部材とを示す正面図である。
【図４】図４は、第２開離嵌挿部材をスライダーの肩口から挿入する操作を模式的に説明する説明図である。
【図５】図５は、第２開離嵌挿部材が第１開離嵌挿部材に対して正規位置に保持された状態を示す模式図である。
【図６】図６は、第２開離嵌挿部材が第１開離嵌挿部材に対して非正規位置に保持された状態を示す模式図である。
【図７】図７は、図６に示したＶＩＩ−ＶＩＩ線の矢視断面図である。
【図８】図８は、スライダーがスライダー保持部に保持されていない状態でスライダーを摺動させるときの様子を示す模式図である。
【図９】図９は、第２開離嵌挿部材の変形例を示す模式図である。
【図１０】図１０は、第２開離嵌挿部材の別の変形例を示す模式図である。
【図１１】図１１は、本発明の実施例２に係るスライドファスナーの第１開離嵌挿部材を示す正面図である。
【図１２】図１２は、同スライドファスナーにおいて、第２開離嵌挿部材が第１開離嵌挿部材に対して非正規位置に保持された状態を示す模式図である。
【図１３】図１３は、図１２に示した状態からスライダーを閉鎖方向に摺動させたときのスライダーの動作を模式的に説明する説明図である。
【図１４】図１４は、本発明の実施例３に係るスライドファスナーの第１及び第２開離嵌挿部材を示す斜視図である。
【図１５】図１５は、同スライドファスナーにおける第２開離嵌挿部材のスライダー係脱部を第１スライダーの肩口側端部に係止する操作を説明する説明図である。
【図１６】図１６は、第２開離嵌挿部材を第１及び第２スライダーに挿し込んだ状態を示す模式図である。
【図１７】図１７は、第２スライダーを摺動させて左右のエレメント列を噛合した状態を示す模式図である。
【図１８】図１８は、従来のスライドファスナーの第１及び第２開離嵌挿部材を示す斜視図である。
【図１９】図１９は、従来のスライドファスナーにおける第１の係止操作を模式的に説明する説明図である。
【図２０】図２０は、従来のスライドファスナーにおける第２の係止操作を模式的に説明する説明図である。
【発明を実施するための形態】
【００４７】
以下、本発明の好適な実施の形態について、実施例を挙げて図面を参照しながら詳細に説明する。なお、本発明は、以下で説明する各実施例に何ら限定されるものではなく、本発明と実質的に同一な構成を有し、かつ、同様な作用効果を奏しさえすれば、多様な変更が可能である。
【００４８】
例えば、以下の実施例では、右側のファスナーストリンガーの後端側に第１開離嵌挿部材が配され、左側のファスナーストリンガーの後端側に第２開離嵌挿部材が配されている場合について説明する。しかし、本発明は、これに限定されず、右側のファスナーストリンガーに第２開離嵌挿部材が配され、左側のファスナーストリンガーに第１開離嵌挿部材が配されている場合や、ファスナーストリンガーの前端側に第１及び第２開離嵌挿部材が配されている場合にも、同様に適用することができる。
【００４９】
また、以下の実施例では、ファスナーテープのテープ側縁部に複数の合成樹脂製のファスナーエレメントが射出成形されてエレメント列が形成されている。しかし、本発明では、ファスナーテープのテープ側縁部に、コイル状又はジグザグ状の連続ファスナーエレメントを縫着することによりエレメント列が形成されていても良く、或いは、金属製のファスナーエレメントを加締め加工して取着することによりエレメント列が形成されていても良い。
【実施例１】
【００５０】
図１は、本発明の実施例１に係るスライドファスナーを示す正面図であり、図２は、同スライドファスナーにおける第１及び第２開離嵌挿部材を示す斜視図である。なお、以下の説明において、前後方向とは、スライドファスナーにおけるファスナーテープの長さ方向を指し、スライドファスナーを閉じるときのスライダーの摺動方向を前方とし、スライドファスナーを開くときのスライダーの摺動方向を後方とする。【００５１】
また、左右方向とは、ファスナーテープのテープ幅方向を指し、スライドファスナーを正面側から見たときの左側及び右側をそれぞれ左方及び右方とする。上下方向とは、ファスナーテープのテープ面に直交するテープ表裏方向を指し、ファスナーテープに対してスライダーの引手が配される側を上方、その反対の側を下方とする。【００５２】
本実施例１に係るスライドファスナー１は、左右のファスナーテープ３にエレメント列４が形成された一対の第１及び第２ファスナーストリンガー２ａ，２ｂと、右側の第１ファスナーストリンガー２ａにおけるエレメント列４の後端部から連続的に配された第１開離嵌挿部材１０（箱棒と呼ばれることもある）と、左側の第２ファスナーストリンガー２ｂにおけるエレメント列４の後端部から連続的に配された第２開離嵌挿部材２０（蝶棒と呼ばれることもある）と、第１ファスナーストリンガー２ａのエレメント列４に沿って摺動可能に取着されたスライダー３０とを有している。【００５３】
第１及び第２ファスナーストリンガー２ａ，２ｂは、それぞれ、ファスナーテープ３と、同ファスナーテープ３の対向するテープ側縁部に形成されたエレメント列４と、同エレメント列４の前端部に固着され、スライダー３０が抜け出ることを防止する図示しない止具とを有している。左右のファスナーテープ３は、対向するテープ側縁に芯紐部３ａを有している。【００５４】
左右の各エレメント列４は、ファスナーテープ３の芯紐部３ａを含むテープ側縁部（エレメント取付部）に一定の間隔をもって取着された複数の合成樹脂製のファスナーエレメント５により形成されている。各ファスナーエレメント５は、ファスナーテープ３に固着された胴部５ａと、胴部５ａからテープ外方に向けて延出し、前後方向に括れた形状を有する首部５ｂと、首部５ｂの先端に設けられた噛合頭部５ｃと、首部５ｂから前後方向に突出した肩部５ｄと、胴部５ａからテープ内方側に向けて延在し、ファスナーテープ３に固着されたヒレ部５ｅとを有している。ファスナーエレメント５は、ポリアセタール、ポリエチレンテレフタレート、及びポリアミド等の合成樹脂材料を射出成形することによって、所定の形状に形成されている。なお、本発明において、ファスナーエレメント５の形状や大きさなどは特に限定されるものではない。【００５５】
本実施例１におけるスライダー３０は、従来から一般的に知られているものを使用することができる。具体的には、同スライダー３０は、スライダー胴体３１と図示しない引手とを有している。スライダー胴体３１は、上翼板３２と、下翼板３３と、上下翼板３２，３３を前端部にて連結する案内柱３４と、上下翼板３２，３３の左右側縁部から上下翼板３２，３３に対して直交する方向に配された上下フランジ部３５と、上翼板３２の上面に立設された引手取付柱３６と、上翼板３２に配された停止爪３７とを有している。【００５６】
また、スライダー胴体３１の左右側縁部には、ファスナーテープ３を挿通させるテープ挿通間隙が上下フランジ部３５間に形成されている。引手は、引手取付柱３６に回動可能に取着されている。【００５７】
このスライダー３０の後端部には後口が配されており、スライダー３０の前端側で且つ案内柱３４の左右両側には肩口が配されている。また、同スライダー３０には、上下翼板３２，３３と上下フランジ部３５とにより包囲されたエレメント案内路３８が形成され、このエレメント案内路３８はスライダー３０の後口と左右の肩口とを連通するように略Ｙ字状に配されている。なお、本発明において用いられるスライダーは、例えば上翼板及び下翼板のうちの何れか一方の左右側縁部にフランジ部が配されているスライダーであっても良い。【００５８】
第１ファスナーストリンガー２ａに配された第１開離嵌挿部材１０と第２ファスナーストリンガー２ｂに配された第２開離嵌挿部材２０とは、それぞれ、エレメント列４の後端部から連続するようにファスナーテープ３のテープ表裏両面に跨って固着されている。また、第１及び第２開離嵌挿部材１０，２０は、ポリアセタール、ポリエチレンテレフタレート、及びポリアミド等の合成樹脂材料を射出成形することにより、ファスナーテープ３を中心にしてテープ表面側の形状とテープ裏面側の形状とが対称的となるように形成されている。【００５９】
本実施例１において、第１開離嵌挿部材１０は、ファスナーテープ３の表裏両面に形成されたスライダー保持部１１と、スライダー保持部１１から後方に延設され、段部１５を介して厚肉に形成された枢止部１２と、スライダー保持部１１及び枢止部１２からテープ内方側に延設された補強部１３と、スライダー保持部１１の第２開離嵌挿部材２０に対向する対向側面及び枢止部１２の内周面１２ｂに設けられた凹溝部１４とを有している。【００６０】
前記スライダー保持部１１は、テープ表裏方向における板厚（厚さ寸法）が、スライダー３０のエレメント案内路３８の厚さ寸法（即ち、上翼板３２の内壁面と下翼板３３の内壁面との間の間隔）よりも小さく、且つ、同スライダー３０のテープ挿通間隙の間隔よりも大きくして形成されている。また、スライダー保持部１１のテープ内方側の内側側縁部１１ａは、その長さ方向の中間部分が第２開離嵌挿部材２０側に向かって凹むように湾曲しており、同スライダー保持部１１の第２開離嵌挿部材２０に対向する対向側縁部１１ｂは、その長さ方向の中間部分が第２開離嵌挿部材２０側に膨出するように湾曲している。【００６１】
このスライダー保持部１１は、スライダー３０を後方（開離方向）に摺動させて段部１５に当接させたときに、スライダー３０のエレメント案内路３８内に挿入されてスライダー３０を段部１５に当接させた状態で保持することができる。この位置がスライダー３０の摺動の終端であることから、摺動端部と言うことができる。【００６２】
また、スライダー保持部１１は、スライダー３０を保持したときに、スライダー保持部１１の第２開離嵌挿部材２０に対向する対向側縁部１１ｂにスライダー３０の案内柱３４を当接させ、且つ、スライダー保持部１１のテープ内方側の内側側縁部１１ａにスライダー３０のフランジ部３５を当接させることにより、スライダー３０の姿勢を所定の方向に傾けることができる。【００６３】
前記枢止部１２は、段部１５を介してスライダー保持部１１よりも表裏方向に厚く形成されている。この枢止部１２は、スライダー保持部１１から後方に延設され、更にファスナーテープ３のテープ端部よりも後方の位置にて第２開離嵌挿部材２０側に湾曲して形成されている。このため、同枢止部１２は、正面側から見たときに略Ｊ字形状を呈している。この場合、枢止部１２の湾曲させた先端部における外周面１２ａは、テープ長さ方向に対してファスナーテープ３側に傾くように傾斜して形成されている。【００６４】
また、枢止部１２は、第２開離嵌挿部材２０の後述する被枢止部２２を当接させて回転自在に係止する内周面１２ｂを有するとともに、第１開離嵌挿部材１０のスライダー保持部１１にスライダー３０を保持したときに、スライダー３０の後口側端部と枢止部１２との間に、第２開離嵌挿部材２０の後述する被枢止部２２を挿入可能な枢動空間１６が形成されるように構成されている。【００６５】
この場合、枢動空間１６は、第２開離嵌挿部材２０の被枢止部２２を、スライダー３０の後口側端部と枢止部１２の湾曲させた先端部との間に形成される間隙を介して枢止部１２の内周面１２ｂに案内し、同内周面１２ｂに第２開離嵌挿部材２０の被枢止部２２を係止可能なように形成されている。【００６６】
前記補強部１３は、第１開離嵌挿部材１０のファスナーテープ３への固着強度を高めるために配されている。この補強部１３のテープ表裏方向における厚さ寸法は、スライダー３０のテープ挿通間隙の間隔よりも小さく設定されている。また、補強部１３におけるスライダー保持部１１側の側縁部には、窪み部１７が設けられている。【００６７】
スライダー保持部１１及び枢止部１２に設けられた凹溝部１４は、第２開離嵌挿部材２０の後述する本体部２１を嵌合可能なように、同凹溝部１４のテープ表裏方向における溝幅寸法が、第２開離嵌挿部材２０の本体部２１の板厚よりも大きく設定されている。また、枢止部１２の内周面１２ｂにて第２開離嵌挿部材２０の被枢止部２２を係止するために、凹溝部１４のテープ表裏方向における溝幅寸法は、被枢止部２２のテープ表裏方向における厚さ寸法よりも小さく設定されている。【００６８】
本実施例１において、第２開離嵌挿部材２０は、ファスナーテープ３の表裏両面に一体に形成された板状の本体部２１と、本体部２１の後端部における第１開離嵌挿部材１０側の角部分に配された被枢止部２２と、本体部２１におけるテープ内方側の側縁部に沿って配された突条部２３と、本体部２１の前端部に配された突起部２４とを有している。【００６９】
第２開離嵌挿部材２０の前記本体部２１は、表面及び裏面が平坦な平板状に形成されており、本体部２１のテープ表裏方向における厚さ寸法は、スライダー３０の左右側縁部に形成されたテープ挿通間隙の間隔よりも小さく設定されている。また、この本体部２１の厚さ寸法は、前述のように第１開離嵌挿部材１０に設けた凹溝部１４のテープ表裏方向における溝幅寸法よりも小さく設定されている。【００７０】
前記被枢止部２２は、本体部２１の表面及び裏面から上方及び下方へ突出する円柱状に形成されている。この被枢止部２２における上面と下面との間のテープ表裏方向における厚さ寸法は、スライダー３０のテープ挿通間隙の間隔よりも大きく、且つ、同スライダー３０のエレメント案内路３８の厚さ寸法（即ち、上翼板３２の内壁面と下翼板３３の内壁面との間の間隔）よりも小さく設定されている。【００７１】
前記突条部２３は、本体部２１よりも厚く形成されている。このような突条部２３が本体部２１におけるテープ内方側の側縁部に沿って形成されていることにより、第２開離嵌挿部材２０の強度を向上させることができる。更に、この突条部２３が配されていることにより、スライドファスナー１の使用者に対して第２開離嵌挿部材２０を把持し易くすることができるため、スライドファスナー１の操作性を向上させることができる。【００７２】
前記突起部２４は、第２ファスナーストリンガー２ｂのエレメント列４から連続するように第２開離嵌挿部材２０の本体部２１に一体形成されている。この突起部２４のテープ表裏方向における厚さ寸法は、被枢止部２２と同様に、スライダー３０のテープ挿通間隙の間隔よりも大きく、且つ、エレメント案内路３８の厚さ寸法よりも小さく設定されており、例えばファスナーエレメント５の厚さ寸法と同じ大きさに設定されている。【００７３】
本実施例１の突起部２４は、略直角三角形状に形成された後端側の突起本体部２４ａと、突起本体部２４ａの前方側に配され、第１ファスナーストリンガー２ａにおけるエレメント列４の最も後端側に配されたファスナーエレメント５（以下、このファスナーエレメント５を第１ファスナーエレメント５と記載する）と噛み合うことが可能な噛み合い部２４ｂとを有している。【００７４】
同突起部２４における突起本体部２４ａは、テープ長さ方向に沿ってテープ内方側（第１開離嵌挿部材１０に対向する側とは反対の側）に配される側面部２４ｃと、直角三角形の斜辺に相当する斜面部２４ｄとを有している。また、斜面部２４ｄの第１開離嵌挿部材１０に対向する側の端部に、直角三角形の１つの頂点に相当する対向端部（角部）２４ｅが配されており、この対向端部（角部）２４ｅは、斜面部２４ｄ側に少し膨らむように形成されている。更に、側面部２４ｃと斜面部２４ｄとの交点部分は、対向端部２４ｅよりも後方側に配されており、面取りが施されたように曲面状に形成されている。【００７５】
また、同突起部２４における噛み合い部２４ｂは、第２ファスナーストリンガー２ｂの最も後端側に配されたファスナーエレメント５と噛み合い部２４ｂとの間で、第１ファスナーストリンガー２ａの第１ファスナーエレメント５を噛み合わせることが可能に構成されている。この噛み合い部２４ｂの前端縁には、第１ファスナーエレメント５の噛合頭部５ｃを嵌入する第１凹部２４ｆと、第１ファスナーエレメント５の肩部５ｄを嵌入する第２凹部２４ｇとが設けられている。【００７６】
ここで、本実施例１のスライドファスナー１について、図３に示したように、突起部２４のテープ幅方向における寸法（エレメント列４の軸線に直交する方向における突起部２４の寸法）、言い換えると、突起部２４の対向端部２４ｅにおいて第１開離嵌挿部材１０に対向する側縁と、同突起部２４の側面部２４ｃとの間の寸法（最小寸法）を第１寸法Ａと規定する。【００７７】
また、同突起部２４における側面部２４ｃの後端部と対向端部２４ｅとの間の寸法を第２寸法Ｂと規定する。この場合、第２寸法Ｂの向きは、エレメント列４の軸線に対して左側（前端側が第１ファスナーストリンガー２ａから離れる方向）に傾いた直線に直行する方向となる。更に、スライダー３０の肩口側のエレメント案内路３８における案内柱３４とフランジ部３５との間の最小間隔に等しい寸法を第３寸法Ｃと規定する。【００７８】
上述のように第１寸法Ａ〜第３寸法Ｃを規定した場合において、本実施例１の突起部２４は、第１寸法Ａ＜第３寸法Ｃ＜第２寸法Ｂの関係を有するように形成されている。即ち、突起部２４が第１寸法Ａ＜第３寸法Ｃの関係を満たすことにより、後述するように第２開離嵌挿部材２０が第１開離嵌挿部材１０に対して正規の位置に保持された場合、スライダー保持部１１に保持されているスライダー３０を閉鎖方向に向けて摺動させたときに、突起部２４をスライダー３０に引っ掛からせることなく、スライダー３０の案内柱３４とフランジ部３５との間に円滑に挿通させることができる。【００７９】
一方、突起部２４が第３寸法Ｃ＜第２寸法Ｂの関係を満たすことにより、後述するように第２開離嵌挿部材２０が第１開離嵌挿部材１０に対して非正規の位置に保持された場合に、スライダー保持部１１に保持されているスライダー３０を閉鎖方向に向けて摺動させようとしても、突起部２４がスライダー３０の案内柱３４とフランジ部３５の両方に当接して引っ掛かるため、スライダー３０の摺動を妨げることができる。【００８０】
なお、本実施例１の突起部２４は、第１及び第２ファスナーストリンガー２ａ，２ｂを平行に配置し、且つ、スライダー３０を第１開離嵌挿部材１０のスライダー保持部１１に所定の方向に傾けた姿勢で保持したときに、第２寸法Ｂの向きと第３寸法Ｃの向きとが平行（略平行を含む）となるように構成されていることが好ましい。これにより、第２開離嵌挿部材２０が非正規の位置に保持された場合に、突起部２４がスライダー３０の摺動をより確実に妨げることができる。【００８１】
上記において、第２寸法Ｂは、側面部２４ｃの後端部と対向端部２４ｅとの間の寸法としているが、例えば、エレメント列４の軸線に対して左側に傾いた直線に直交し、且つ、側面部２４ｃの後端部を通る仮想線上において、その側面部２４ｃと反対の面側の端部を第１開離嵌挿部材１０と対向する側の対向端部とした場合には、第２寸法Ｂは、その対向端部と、側面部２４ｃの後端部との間の寸法とも表現できる。この対向端部は、前記側面部２４ｃの後端部よりもエレメント列４に近い側（前側）に位置している。なお、その対向端部は、矩形状の角部に限らず、円弧状であっても良い。また、後述の図１０に表すような面取りされた斜面状であっても良い。【００８２】
更にここで、本実施例１のスライドファスナー１について、図３に示したように、突起部２４の側面部２４ｃと本体部２１の前端側の第１開離嵌挿部材１０に対向する対向側面部との間のテープ幅方向における寸法を第４寸法Ｄと規定する。また、ファスナーエレメント５のテープ幅方向における寸法を第５寸法Ｅと規定する。なおこの場合、第５寸法Ｅは、スライダー３０のエレメント案内路３８内を挿通するファスナーエレメント５のエレメント部分、即ち、ファスナーエレメント５のヒレ部５ｅを除いたエレメント部分のテープ幅方向における寸法である。更に、スライダー３０のエレメント案内路３８における後口側端部の幅寸法（後口側端部における左右側縁部に配されたフランジ部３５間の寸法）を第６寸法Ｆと規定する。【００８３】
上述のように第４寸法Ｄ〜第６寸法Ｆを規定した場合において、本実施例１の第２開離嵌挿部材２０は、第４寸法Ｄ＋第５寸法Ｅ＞第６寸法Ｆの関係を有するように形成されている。第２開離嵌挿部材２０が上述の第４寸法Ｄ〜第６寸法Ｆの関係を満たすことにより、後述するようにスライダー３０が第１開離嵌挿部材１０のスライダー保持部１１に保持されてなく、第１ファスナーストリンガー２ａのエレメント列４の途中で停止している状態において、第２開離嵌挿部材２０をスライダー３０のエレメント案内路３８内に挿入した後に同スライダー３０を閉鎖方向に摺動させようとしても、そのスライダー３０の摺動を妨げることができる（図８を参照）。【００８４】
更にこの場合、本実施例１のスライドファスナー１では、第２開離嵌挿部材２０の突起部２４が、第１寸法Ａ＋第５寸法Ｅ＞第６寸法Ｆの関係を有するように形成されていることが好ましい。【００８５】
これにより、第２開離嵌挿部材２０の突起部２４と、第１ファスナーストリンガー２ａに配されている第１ファスナーエレメント５とが適切に噛み合わないことがあった場合に、突起部２４及び第１ファスナーエレメント５がスライダー３０のエレメント案内路３８内で干渉して引っ掛かった状態となる。その結果、スライダー３０の摺動が妨げられて、左右のエレメント列４が不正に噛み合わせられることを防止できる。【００８６】
次に、本実施例１のスライドファスナー１を、第１及び第２ファスナーストリンガー２ａ，２ｂが互いに分離している状態から閉鎖する操作について、図面を参照しながら説明する。【００８７】
先ず、図３に示したように、スライダー３０を右側の第１ファスナーストリンガー２ａに配された第１開離嵌挿部材１０に向けて摺動させ、第１開離嵌挿部材１０の段部１５に当接させる。これにより、スライダー３０が第１開離嵌挿部材１０のスライダー保持部１１に保持される。このとき、スライダー３０の後口側端部と枢止部１２との間には、第２開離嵌挿部材２０の被枢止部２２を挿入可能な枢動空間１６が形成される
次に、左側の第２ファスナーストリンガー２ｂに配された第２開離嵌挿部材２０の被枢止部２２を、第１開離嵌挿部材１０の枢止部１２に形成された枢動空間１６に案内し、その被枢止部２２を枢止部１２の内周面１２ｂに当接させて係止させる。このとき、本実施例１のスライドファスナー１では、以下の２種類の係止操作のうちから一方の係止操作を任意に選択することができる。【００８８】
第１の係止操作は、図４に矢印で示したように、第２開離嵌挿部材２０の被枢止部２２を、第１開離嵌挿部材１０の側方（左側）から、枢止部１２とスライダー３０との間に形成された間隙に直接挿入する。これにより、被枢止部２２を第１開離嵌挿部材１０の枢動空間１６に案内して、同被枢止部２２を枢止部１２の内周面１２ｂに係止させることができる。また同時に、第２開離嵌挿部材２０の本体部２１を、スライダー３０のテープ挿通間隙を介してエレメント案内路３８内に挿入しながら、第１開離嵌挿部材１０の凹溝部１４に嵌入させることができる。【００８９】
この場合、本実施例１のスライドファスナー１では、枢止部１２の先端部側の外周面１２ａが、前述のようにテープ長さ方向に対してファスナーテープ３側に傾斜して形成されているため、第２開離嵌挿部材２０の被枢止部２２を、第１開離嵌挿部材１０の側方から枢止部１２とスライダー３０との間の間隙に挿入させ易くすることができる。【００９０】
次に、被枢止部２２を上述のように枢止部１２に係止させた後、被枢止部２２を中心にして第２開離嵌挿部材２０を第１開離嵌挿部材１０に向けて回動させ、第２開離嵌挿部材２０の本体部２１を、スライダー３０のテープ挿通間隙を介して、テープ幅方向に挿入させる。これにより、図５に示したように、第２開離嵌挿部材２０の突起部２４をスライダー３０のエレメント案内路３８内に挿入することができる。【００９１】
なお、第２開離嵌挿部材２０を第１開離嵌挿部材１０に向けて回動させる場合、第２開離嵌挿部材２０の突起部２４がスライダー３０のエレメント案内路３８内に挿入される前に、スライダー３０のフランジ部３５の外面に当接する。【００９２】
この場合、突起部２４の斜面部２４ｄがスライダー３０のフランジ部３５に当接しながら第２開離嵌挿部材２０が回動することにより、第２開離嵌挿部材２０が突起部２４の斜面部２４ｄに沿って相対的に前方側へ移動するため、突起部２４がスライダー３０のフランジ部３５を容易に乗り越えることができる。更に、突起部２４がスライダー３０のフランジ部３５を乗り越えた後、突起部２４とフランジ部３５との干渉が解除されて第２開離嵌挿部材２０が相対的に後方へ移動することにより、被枢止部２２が枢止部１２に係止されている状態を回復することができる。【００９３】
そして、上述のように被枢止部２２が枢止部１２に係止されている状態で突起部２４がスライダー３０のエレメント案内路３８内に挿入されることによって、第２開離嵌挿部材２０が、第１開離嵌挿部材１０に保持されているスライダー３０に対して位置決めされる。このため、第２開離嵌挿部材２０は、結果的に、第１開離嵌挿部材１０に対して左右のエレメント列４を適切に噛合させることが可能な正規位置に位置決めされることになる。【００９４】
またこのとき、突起部２４の側面部２４ｃがスライダー３０のフランジ部３５に当接することにより、第２開離嵌挿部材２０が正規位置に位置決めされた状態を安定して保持することができる。【００９５】
一方、第２の係止操作は、図４に仮想線で示したように、第２開離嵌挿部材２０の被枢止部２２をスライダー３０の肩口から挿入する。このとき、被枢止部２２の厚さ寸法はスライダー３０の上翼板３２と下翼板３３間の間隔よりも小さく形成されているため、被枢止部２２をスライダー３０のエレメント案内路３８内に容易に挿入することができる。【００９６】
エレメント案内路３８内に挿入された被枢止部２２は、エレメント案内路３８を通過した後、スライダー３０の後口から排出される。更に、スライダー３０を通過した被枢止部２２は、第１開離嵌挿部材１０の枢止部１２に案内されて枢止部１２の内周面１２ｂに係止される。【００９７】
このとき、第２開離嵌挿部材２０の被枢止部２２をスライダー３０のエレメント案内路３８を介して枢止部１２に係止させることにより、第２開離嵌挿部材２０の本体部２１を第１開離嵌挿部材１０の凹溝部１４に嵌入させるとともに、第２開離嵌挿部材２０の突起部２４をスライダー３０のエレメント案内路３８内に挿入することができる。【００９８】
これにより、図５に示したように、第２開離嵌挿部材２０が、第１開離嵌挿部材１０に対して、左右のエレメント列４を適切に噛合させることが可能な正規位置に位置決めされるとともに、その位置決めされた状態を安定して保持することができる。【００９９】
上述のように第１の係止操作又は第２の係止操作を行って第２開離嵌挿部材２０を正規位置に位置決めして保持した後、スライダー３０を閉鎖方向である上方に摺動させる。このとき、本実施例１のスライドファスナー１では、突起部２４が前述のように第１寸法Ａ＜第３寸法Ｃの関係を満たしており、且つ、突起部２４がスライダー３０の案内柱３４とフランジ部３５との間を通過する際に第１寸法Ａの向きと第３寸法Ｃの向きとを略平行にすることができる。【０１００】
このため、突起部２４をスライダー３０に引っ掛からせることなく、スライダー３０の案内柱３４とフランジ部３５との間に円滑に挿通させることができる。従って、左側のエレメント列４は、突起部２４に導かれるようにしてスライダー３０の肩口からエレメント案内路３８に導入されるとともに、右側のエレメント列４もスライダー３０の肩口からエレメント案内路３８に導入されるため、エレメント案内路３８内で左右のエレメント列４を円滑に噛み合わせることができ、それによって、スライドファスナー１を安定して閉鎖することができる。【０１０１】
一方、本実施例１のスライドファスナー１では、例えば上述の第１の係止操作を行う際において、被枢止部２２を枢止部１２に係止させた後に、第２開離嵌挿部材２０の回動によって突起部２４をスライダー３０のエレメント案内路３８内に挿入する際に、被枢止部２２が枢止部１２から偶然にも飛び出して、被枢止部２２の係止状態が解除されてしまうことが考えられる。この場合、突起部２４がスライダー３０のエレメント案内路３８内に挿入されても、図６に示すように、第２開離嵌挿部材２０が、第１開離嵌挿部材１０に対して正規位置から外れた非正規位置で保持されることがある。【０１０２】
また、上述の第２の係止操作を行う際において、使用者が第２開離嵌挿部材２０の操作を誤って、第２開離嵌挿部材２０の被枢止部２２をスライダー３０のエレメント案内路３８に挿入せずに、第２開離嵌挿部材２０の突起部２４のみをスライダー３０のエレメント案内路３８内に挿入することがある。この場合にも、図６に示すように、第２開離嵌挿部材２０が、第１開離嵌挿部材１０に対して非正規位置で保持されることがある。【０１０３】
このように第２開離嵌挿部材２０が非正規位置で保持されている場合、本実施例１のスライドファスナー１では、突起部２４が前述のように第３寸法Ｃ＜第２寸法Ｂの関係を満たしているため、スライダー保持部１１に保持されているスライダー３０を閉鎖方向に向けて摺動させようとしても、図６及び図７に示したように、突起部２４がスライダー３０の案内柱３４とフランジ部３５の両方に当接して引っ掛かり、スライダー３０の摺動を妨げることができる。【０１０４】
特にこの場合、突起部２４が、第２寸法Ｂの向きを第３寸法Ｃの向きと略平行となるよう姿勢でスライダー３０のエレメント案内路３８内に挿入されていることにより、突起部２４がスライダー３０の案内柱３４とフランジ部３５の両方に確実に当接する。即ち、突起部２４の対向端部２４ｅがスライダー３０の案内柱３４に当接し、側面部２４ｃがスライダー３０のフランジ部３５に当接する。このため、スライダー３０が閉鎖方向に摺動することが防げられる。【０１０５】
これにより、スライドファスナー１の使用者は、第２開離嵌挿部材２０が非正規位置に保持されている状態のときには、スライダー３０を誤って操作しようとしてもファスナー閉鎖方向に移動させることができないため、左右のエレメント列４が従来のように不正に噛み合わせられることを確実に防止できる。【０１０６】
その結果、例えば不正に噛み合せられた左右のエレメント列４が横引き力を受けて簡単に分離したり、また、スライダー３０が強引に引っ張られて第１及び第２開離嵌挿部材１０，２０やファスナーエレメント５が破損したりするといった従来の問題を解消することができる。なお、上記の非正規位置とは、被枢止部２２が枢止部１２の内周面１２ａに係合する上記の正規位置にない状態（正規位置からずれている状態）のことである。【０１０７】
また、本実施例１のスライドファスナー１では、例えばスライドファスナー１を閉鎖する際に、スライダー３０がスライダー保持部１１に保持されてなく、第１ファスナーストリンガー２ａのエレメント列４の途中で停止している状態において、使用者が誤って第２開離嵌挿部材２０をスライダー３０に挿入してスライダー３０の摺動操作を行う場合が考えられる。【０１０８】
しかしこの場合、本実施例１のスライドファスナー１では、突起部２４が前述のように第４寸法Ｄ＋第５寸法Ｅ＞第６寸法Ｆの関係を満たしているため、スライダー３０を閉鎖方向に摺動させようとしても、図８に示したようにスライダー３０の摺動を妨げることができる。【０１０９】
具体的に説明すると、この図８の状態では、スライダー３０のエレメント案内路３８内で第２開離嵌挿部材２０の本体部２１と第１ファスナーストリンガー２ａに配されたファスナーエレメント５とが当接して第２開離嵌挿部材２０の向きが強制的に傾けられる。このとき、第２開離嵌挿部材２０の突起部２４の姿勢もスライダー３０のエレメント案内路３８内で傾けられて、同突起部２４がスライダー３０の案内柱３４とフランジ部３５の両方に当接して引っ掛かるため、スライダー３０の摺動を妨げることができる。【０１１０】
これにより、スライドファスナー１の使用者は、第１ファスナーストリンガー２ａのエレメント列４の途中に際されている状態のスライダー３０に第２開離嵌挿部材２０を挿入しても、スライダー３０を誤ってファスナー閉鎖方向に移動させることができなくなるため、左右のエレメント列４が不正に噛み合わせられることを防止できる。【０１１１】
なお、本発明において、第２開離嵌挿部材２０に配される突起部２４の形態は、突起部２４が前述の第１寸法Ａ＜第３寸法Ｃ＜第２寸法Ｂの関係を満たしていれば、実施例１で説明した形態に限定されるものではなく、任意に変更することが可能である。例えば図９に変形例を示したように、第２開離嵌挿部材４０の突起部４４を前後の２つの部分に分割して形成することも可能である。【０１１２】
また、例えば図１０に別の変形例を示したように、第２開離嵌挿部材４５の突起部４９を、正面側から見たときに略矩形状を呈するように形成することも可能である。【０１１３】
この別の変形例に係る突起部４９は、テープ長さ方向に沿ってテープ内方側に配された側面部４９ｃと、テープ長さ方向に沿って第１開離嵌挿部材１０に対向する側に配された対向側面部４９ｈとを有している。この場合、同突起部４９の第２寸法Ｂは、突起部４９のテープ内方側の側面部４９ｃにおける後端部と、突起部４９の対向側面部４９ｈにおけるエレメント列４側に配された対向端部（角部）４９ｅとの間の寸法（即ち、略対角線上の端部までの寸法）として規定される。ここで、対向端部４９ｅは、対向側面部４９ｃにおける後端部よりもエレメント列４に近い側（前側）に位置している。【０１１４】
図９又は図１０に示したような突起部４４，４９を有するスライドファスナーであっても、上記実施例１に係るスライドファスナー１と同様の効果を得ることができる。【０１１５】
更に、上記実施例１においては、第２開離嵌挿部材２０の突起部２４が、ファスナーテープ３の表面側と裏面側とに対称的に形成されているが、本発明における突起部は、第２開離嵌挿部材におけるファスナーテープの表面側又は裏面側のみに形成されていても良い。【０１１６】
また、上記実施例１のスライドファスナー１は、第２開離嵌挿部材２０の被枢止部２２を第１開離嵌挿部材１０の側方から挿入して枢止部１２に係止させる第１の係止操作と、第２開離嵌挿部材２０の被枢止部２２をスライダー３０のエレメント案内路３８内を通過させて第１開離嵌挿部材１０の枢止部１２に係止させる第２の係止操作とを任意に選択してスライドファスナー１を閉鎖することが可能に構成されている。しかし、本発明は、第１の係止操作と第２の係止操作の何れか一方のみを行うことしかできないように構成されたスライドファスナーに対しても適用でき、上述の実施例１と同様の効果を得ることができる。
【実施例２】
【０１１７】
図１１は、本発明の実施例２に係るスライドファスナーの第１開離嵌挿部材を示す正面図である。
本実施例２におけるスライドファスナー６は、前述の実施例１におけるスライドファスナー１に対して、第１開離嵌挿部材５０に膨大部５８が配されていること以外については、基本的に同じ構成を有している。従って、本実施例２のスライドファスナー６において、前述の実施例１にて説明した部材及び部位と同様の構成を有するものについては、同じ符号を用いて表すことによってその説明を省略することとする。【０１１８】
本実施例２における右側の第１ファスナーストリンガー２ａに配された第１開離嵌挿部材５０は、図１１に示したように、ファスナーテープ３の表裏両面に形成されたスライダー保持部５１と、スライダー保持部５１から後方に延設され、段部５５を介して厚肉に形成された枢止部５２と、スライダー保持部５１及び枢止部５２からテープ内方側に延設された補強部５３と、スライダー保持部５１の第２開離嵌挿部材２０に対向する対向側面及び枢止部５２の内周面５２ｂに設けられた凹溝部５４と、スライダー保持部５１の後端部（枢止部５２側の端部）に配された膨大部５８とを有している。【０１１９】
本実施例２のスライダー保持部５１は、前述の実施例１と同様に、テープ表裏方向における厚さ寸法が、スライダー３０のエレメント案内路３８の厚さ寸法よりも小さく、且つ、同スライダー３０のテープ挿通間隙の間隔よりも大きくして形成されており、スライダー３０を段部５５に当接させたときに同スライダー３０を保持できるように構成されている。【０１２０】
また、このスライダー保持部５１の第２開離嵌挿部材２０に対向する対向側縁部は、長さ方向の中間部分が第２開離嵌挿部材２０側に膨出するように湾曲しているものの、スライダー３０を後述するようにスライダー保持部５１に傾けて保持したときに（図１２を参照）、スライダー３０の案内柱３４とスライダー保持部５１とが互いに干渉することを防ぐために、スライダー保持部５１の対向側縁部の一部に切欠き部５１ｃが設けられている。【０１２１】
本実施例２の枢止部５２は、段部５５を介してスライダー保持部５１よりもテープ表裏方向（上下方向）に厚く形成されており、正面側から見たときに略Ｊ字形状を呈する。この枢止部５２は、第２開離嵌挿部材２０の被枢止部２２を当接させて回転自在に係止する内周面５２ｂを有する。【０１２２】
また、同枢止部５２の表面（上面）には、被枢止部２２を係止する位置を分かり易く表示する目印として三角形のマーク５９が付されている。更に、枢止部５２は、スライダー保持部５１にスライダー３０を保持したときに、第２開離嵌挿部材２０の被枢止部２２を挿入可能な枢動空間５６が形成されるように構成されている。【０１２３】
本実施例２の膨大部５８は、スライダー保持部５１からテープ内方側に突出して形成されており、この膨大部５８の厚さ寸法は、スライダー保持部５１と同じ厚さ寸法に設定されている。【０１２４】
この膨大部５８がスライダー保持部５１の後端部に配されていることにより、スライダー保持部５１にスライダー３０を保持したときに、図１２に示したように、膨大部５８がスライダー３０の後口側のフランジ部３５に当接して、スライダー３０の姿勢を第２開離嵌挿部材２０側に所定の角度で傾けることができる。特に本実施例２の場合、スライダー保持部５１に保持されたスライダー３０は、膨大部５８によって、テープ長さ方向に対して、前述の実施例１の場合よりも大きな角度で第２開離嵌挿部材２０側に傾けられる。【０１２５】
ここで、図１２に示したように、第２開離嵌挿部材２０が第１開離嵌挿部材５０に対して非正規位置に保持されたときに、突起部２４の対向端部２４ｅとスライダー３０の案内柱３４が当接する部分を接触点Ｐ１と規定し、突起部２４の側面部２４ｃにおける後端部とスライダー３０のフランジ部３５が当接する部分を接触点Ｐ２と規定する。【０１２６】
この場合、スライダー保持部５１にスライダー３０を保持したときに、上述のようにスライダー３０が第２開離嵌挿部材２０側に大きく傾けられることにより、接触点Ｐ１と接触点Ｐ２との間のテープ長さ方向における間隔を、例えば前述の実施例１に係るスライドファスナー１と比べて短くすることができる。【０１２７】
これにより、第２開離嵌挿部材２０に配される突起部２４のテープ長さを前述の実施例１に係るスライドファスナー１よりも短く設定することが可能となるため、例えばスライドファスナー６における見栄えの向上や製造コストの削減等を図ることができる。【０１２８】
なお、本実施例２のスライドファスナー６では、第２開離嵌挿部材２０が第１開離嵌挿部材５０に対して正規位置で保持されている場合に、スライダー保持部５１に保持されているスライダー３０を閉鎖方向に摺動させることにより、前述の実施例１と同様に、左右のエレメント列４を噛合させてスライドファスナー６を円滑に閉鎖することができる。【０１２９】
一方、第２開離嵌挿部材２０が第１開離嵌挿部材５０に対して非正規位置で保持されている場合には、スライダー保持部５１に保持されているスライダー３０を閉鎖方向に向けて摺動させようとしても、図１３に示したように、突起部２４がスライダー３０の案内柱３４とフランジ部３５の両方に当接して引っ掛かるため、スライダー３０の摺動を妨げることができる。従って、左右のエレメント列４が不正に噛み合わせられることを防止できる。
【実施例３】
【０１３０】
図１４は、本発明の実施例３に係るスライドファスナーの第１及び第２開離嵌挿部材を示す斜視図である。
本実施例３におけるスライドファスナー６１は、エレメント列６４が形成された一対の第１及び第２ファスナーストリンガー６２ａ，６２ｂと、右側の第１ファスナーストリンガー６２ａにおけるエレメント列６４の後端部から連続して配された第１開離嵌挿部材７０と、左側の第２ファスナーストリンガー６２ｂにおけるエレメント列６４の後端部から連続して配された第２開離嵌挿部材８０と、第１ファスナーストリンガー６２ａのエレメント列６４に沿って摺動可能に取着された一対の第１及び第２スライダー９０ａ，９０ｂとを有している。【０１３１】
ここで、第１スライダー９０ａは、後述する止具側に配される上開き用スライダー（所謂、上スライダー）として使用され、第２スライダー９０ｂは、第１開離嵌挿部材７０側に配される下開き用のスライダー（所謂、下スライダー）として使用される。このため、本実施例３のスライドファスナー６１は、所謂逆開きスライドファスナーとして構成されている。【０１３２】
第１及び第２ファスナーストリンガー６２ａ，６２ｂは、それぞれ、ファスナーテープ６３と、同ファスナーテープ６３のテープ側縁部に形成されたエレメント列６４とを有している。この場合、左右の各ファスナーテープ６３は、対向するテープ端縁に芯紐部６３ａを有している。【０１３３】
第１及び第２ファスナーストリンガー６２ａ，６２ｂでは、ファスナーテープ６３の芯紐部６３ａを含むテープ側縁部に沿って、複数の合成樹脂製のファスナーエレメント６５が射出成形により取着されてエレメント列６４が形成されている。なお、本実施例３におけるファスナーエレメント６５は、前述の実施例１におけるファスナーエレメント５からヒレ部５ｅが取り除かれた形態で構成されている。また、ファスナーテープ６３の後端部におけるテープ表裏面には、樹脂製フィルムを貼着することにより補強部６６が形成されている。【０１３４】
右側の第１ファスナーストリンガー６２ａに配された第１開離嵌挿部材７０は、エレメント列６４の後端部から連続してファスナーテープ６３のテープ表裏両面に跨って固着されている。【０１３５】
この第１開離嵌挿部材７０は、ファスナーテープ６３に固着された第１本体部７１と、第１本体部７１の後端部に配されたスライダー保持部７２と、第１本体部７１の上面側に形成され、第２開離嵌挿部材８０の後述する係止凸部８３を嵌入可能な係止凹部７３と、第１本体部７１の上面側に形成され、第２スライダー９０ｂの停止爪９７を収容することが可能な収容凹部７４と、第１本体部７１の第２開離嵌挿部材８０に対向する対向側面から突出した補助係止部７５とを有している。【０１３６】
第１開離嵌挿部材７０におけるスライダー保持部７２は、第２スライダー９０ｂの上下翼板に当接可能なように、第１本体部７１よりも上下方向の寸法（厚さ寸法）が大きく形成されている。このスライダー保持部７２は、第２スライダー９０ｂを当接させることにより第２スライダー９０ｂの摺動を停止させる摺動端部を構成している。【０１３７】
この場合、スライダー保持部７２は、第２スライダー９０ｂを当接させて停止させることにより、第２スライダー９０ｂを第１ファスナーストリンガー６２ａに保持することができ、また、スライダー保持部７２に保持された第２スライダー９０ｂに第１スライダー９０ａを当接させて停止させることにより、第１スライダー９０ａを第１ファスナーストリンガー６２ａに保持することができる。この位置が、第１及び第２スライダー９０ａ，９０ｂの摺動の終端であることから、摺動端部と言うことができる。【０１３８】
係止凹部７３は、第２開離嵌挿部材８０に対向する対向側面からテープ内方側に向けて凹設されている。この場合、係止凹部７３に形成される後方側の壁面部７３ａは、テープ長さ方向に対して直交して配されており、更に、第２開離嵌挿部材８０の後述する係止凸部８３を安定して支持できるように、第１本体部７１の前端側の対向側面よりも第２開離嵌挿部材８０側に突出している。【０１３９】
第１開離嵌挿部材７０における収容凹部７４は、係止凹部７３よりも後方側の位置に配されている。この収容凹部７４は、第２スライダー９０ｂの停止爪９７を収容可能であり、且つ、収容した停止爪９７を収容凹部７４に形成される前方側の壁面部７４ａに当接させることにより、第２スライダー９０ｂの停止状態を保持することができる。【０１４０】
第１開離嵌挿部材７０における補助係止部７５は、第１本体部７１の前端部に配され、同第１本体部７１の対向側面からテープ外方（左方）に向けて突設されている。この補助係止部７５は、正面側から見たときに略三角形状を呈するように形成されており、また、補助係止部７５における上下方向の厚さ寸法は、第１本体部７１の厚さ寸法の略半分に設定されている。【０１４１】
左側の第２ファスナーストリンガー６２ｂに配された第２開離嵌挿部材８０は、エレメント列６４の後端部から連続してファスナーテープ６３のテープ表裏両面に跨って固着されている。【０１４２】
この第２開離嵌挿部材８０は、ファスナーテープ６３に固着された第２本体部８１と、第２本体部８１の後端部に配されたスライダー係脱部８２と、第２本体部８１の第１開離嵌挿部材７０に対向する対向側面から突出した係止凸部８３と、第２本体部８１の上面及び下面に配された隆起部８４と、第２本体部８１の前端部に配された突起部８５と、第２本体部８１の下面側に形成され、第１開離嵌挿部材７０の補助係止部７５を挿入することが可能な挿入凹部８６と、第２本体部８１におけるテープ内方側の側縁に沿って配されたリブ部８７とを有している。【０１４３】
第２開離嵌挿部材８０におけるスライダー係脱部８２は、第２本体部８１よりも厚く形成され、第２スライダー９０ｂの上下フランジ部９５の肩口側端部に係止可能な第１係脱部８２ａと、第１係脱部８２ａよりも厚く形成され、第２スライダー９０ｂの上下翼板の肩口側端縁部に係止可能な第２係脱部８２ｂとを有している。【０１４４】
ここで、第１係脱部８２ａは、上下フランジ部９５間に形成されるテープ挿通間隙よりも厚く、第２スライダー９０ｂの肩口側における上翼板と下翼板との間の間隙よりも薄く形成されている。第２係脱部８２ｂの厚さ寸法は、第２スライダー９０ｂの上下翼板間の間隔よりも大きく設定されている。【０１４５】
更にこの場合、第１係脱部８２ａには、第２スライダー９０ｂの上下フランジ部９５を挿入可能な挿入溝８２ｃが形成されている。このため、第２スライダー９０ｂに対して、第２開離嵌挿部材８０をスライダー係脱部８２によってしっかりと支持することが可能となる。【０１４６】
また、スライダー係脱部８２は、第２開離嵌挿部材８０が第２スライダー９０ｂに係止された状態で回動可能となるように、スライダー係脱部８２の挿入溝８２ｃの溝幅が前方に向けて漸次広くなるように、また、第２係脱部８２ｂの幅寸法が前方に向けて漸減するように形成されている。【０１４７】
第２開離嵌挿部材８０における係止凸部８３は、第１開離嵌挿部材７０に形成した係止凹部７３に挿入されて係止可能なように、第２本体部８１の対向側面における上面側領域からテープ外方（右方）に向けて突設されている。この係止凸部８３は、正面側から見たときに略三角形状を呈するように形成されており、その下端縁はテープ長さ方向に対して直交している。【０１４８】
第２開離嵌挿部材８０における隆起部８４は、第２本体部８１の上面及び下面から隆起して形成されている。この場合、隆起部８４における第２本体部８１からの厚さ寸法は、突起部８５における第２本体部８１からの厚さ寸法よりも小さく設定されている。この隆起部８４は、突起部８５から後方に延びるように配された抜止用隆起部８４ａと、抜止用隆起部８４ａの後端から連続的に配された位置保持用隆起部８４ｂとを有している。【０１４９】
抜止用隆起部８４ａにおける第１開離嵌挿部材７０に対向する対向側面（右側側面）は、第２本体部８１の対向側面と同一面上に配されている。また、抜止用隆起部８４ａにおける左右方向の幅寸法は、後方に向けて漸減している。この抜止用隆起部８４ａは、後述するように、第２開離嵌挿部材８０を第１及び第２スライダー９０ａ，９０ｂに挿し込んだ後、第２スライダー９０ｂを前方に摺動させる際に、第２スライダー９０ｂの上下フランジ部９５と干渉するように形成されている。これにより、第２スライダー９０ｂが第２開離嵌挿部材８０のスライダー係脱部８２（特に第１係脱部８２ａ）に保持されている状態から前方へ向けて摺動する際に、第２スライダー９０ｂ内から第２開離嵌挿部材８０が抜出することを防止できる。【０１５０】
位置保持用隆起部８４ｂにおける対向側面（右側側面）は、第２本体部８１の対向側面と同一面上に配されている。また、位置保持用隆起部８４ｂにおける左右方向の幅寸法は、後方に向けて漸増している。このため、隆起部８４全体のテープ内方側の側縁は、正面側から見たときに、対向側面側に凹むように屈曲している。【０１５１】
この位置保持用隆起部８４ｂは、後述するように、第２開離嵌挿部材８０を第１及び第２スライダー９０ａ，９０ｂに挿入する際に、第２スライダー９０ｂの上下フランジ部９５の後口側端部に当接するように形成されている。これにより、第１及び第２スライダー９０ａ，９０ｂに挿入される第２開離嵌挿部材８０の位置が後方側にずれないように、第２開離嵌挿部材８０を所定の位置に位置決めすることができる。【０１５２】
第２開離嵌挿部材８０に配された本実施例３の突起部８５は、前述の実施例１における突起部２４と実質的に同様の構成を有している。即ち、本実施例３の突起部８５は、第２ファスナーストリンガー６２ｂのエレメント列６４から連続するように、第２開離嵌挿部材８０の第２本体部８１に一体形成されている。この突起部８５のテープ表裏方向における厚さ寸法は、第１及び第２スライダー９０ａ，９０ｂのテープ挿通間隙の間隔よりも大きく、且つ、第１及び第２スライダー９０ａ，９０ｂのエレメント案内路の厚さ寸法よりも小さく設定されている。【０１５３】
本実施例３の突起部８５は、略直角三角形状に形成された後端側の突起本体部８５ａと、突起本体部８５ａの前方に配された噛み合い部８５ｂとを有しており、突起本体部８５ａは、テープ長さ方向に沿ってテープ内方側に配される側面部８５ｃと、直角三角形の斜辺に相当する斜面部８５ｄとを有している。また、斜面部８５ｄの第１開離嵌挿部材７０に対向する側の端部に、直角三角形の１つの頂点に相当する対向端部（角部）８５ｅが配されている。更に、側面部８５ｃと斜面部８５ｄとの交点部分（言い換えると、側面部８５ｃの後端部）は、対向端部８５ｅよりも後方側に配されており、面取りが施されたように曲面状に形成されている。【０１５４】
ここで、前述の実施例１と同様にして第１寸法Ａ〜第６寸法Ｆを規定した場合において、本実施例３の突起部８５は、第１寸法Ａ＜第３寸法Ｃ＜第２寸法Ｂの関係を有するように形成されている。また、本実施例３の第２開離嵌挿部材８０は、第４寸法Ｄ＋第５寸法Ｅ＞第６寸法Ｆの関係を有するように形成されている。更にこの場合、本実施例３の突起部８５は、第１寸法Ａ＋第５寸法Ｅ＞第６寸法Ｆの関係を有するように形成されていることが好ましい。【０１５５】
第２開離嵌挿部材８０における挿入凹部８６は、第１開離嵌挿部材７０の補助係止部７５に対応するように、第２本体部８１の前端部における下面側に凹設されている。この挿入凹部８６は、左右のエレメント列６４を噛合させるときに、第１開離嵌挿部材７０の補助係止部７５が挿入される。これにより、左右のエレメント列６４を噛合させたときに、第１開離嵌挿部材７０と第２開離嵌挿部材８０の相対的な位置が上下方向にずれることを防いでいる。【０１５６】
第２開離嵌挿部材８０におけるリブ部８７は、第２開離嵌挿部材８０を補強するとともに第２開離嵌挿部材８０を摘んで把持し易くするために、第２本体部８１の上面側及び下面側に配されている。この場合、第２開離嵌挿部材８０の隆起部８４とリブ部８７との間の空間は、第２スライダー９０ｂが摺動するときに第２スライダー９０ｂの上下フランジ部９５が走行する通路となる。【０１５７】
本実施例３における第１及び第２スライダー９０ａ，９０ｂは、それぞれ、スライダー胴体９１と引手とを有している。スライダー胴体９１は、上翼板と、下翼板と、上下翼板を前端部にて連結する案内柱９４と、上下翼板の左右側縁部から上下翼板に対して直交する方向に配された上下フランジ部９５と、上翼板の上面に立設された引手取付柱と、上翼板に配された停止爪９７とを有している。引手は、引手取付柱に回動可能に取着されている。【０１５８】
この場合、スライダー胴体９１の左右側縁部には、ファスナーテープ６３を挿通させるテープ挿通間隙が上下フランジ部９５間に形成されており、テープ挿通間隙の間隔は、第１開離嵌挿部材７０におけるスライダー保持部７２の厚さ寸法、及び第２開離嵌挿部材８０における第２係脱部８２ｂの厚さ寸法よりも小さく設定されている。【０１５９】
この第１及び第２スライダー９０ａ，９０ｂの後端部には後口が配されており、第１及び第２スライダー９０ａ，９０ｂの前端側で且つ案内柱９４の左右両側には肩口が配されている。また、同第１及び第２スライダー９０ａ，９０ｂのエレメント案内路は、上下翼板と上下フランジ部９５とにより包囲されて形成され、第１及び第２スライダー９０ａ，９０ｂの後口と左右の肩口とを連通するように略Ｙ字状に配されている。本実施例３において、第１スライダー９０ａと第２スライダー９０ｂとは、互いの後口が相対する向きでエレメント列６４に取り付けられている。【０１６０】
更に、本実施例３において、第１スライダー９０ａにおけるテープ挿通間隙の間隔と、第２スライダー９０ｂにおけるテープ挿通間隙の間隔とは、互いに異なる大きさに設定されている。具体的には、第１スライダー９０ａにおけるテープ挿通間隙の間隔は、第２スライダー９０ｂにおけるテープ挿通間隙の間隔よりも大きく設定されている。【０１６１】
また、この第２スライダー９０ｂにおけるテープ挿通間隙の間隔は、第２開離嵌挿部材８０における第２本体部８１の厚さ寸法よりも大きく、また、第２開離嵌挿部材８０における第１係脱部８２ａ及び隆起部８４の厚さ寸法よりも小さく設定されている。【０１６２】
一方、第１スライダー９０ａにおけるテープ挿通間隙の間隔は、第２開離嵌挿部材８０における第２本体部８１及び隆起部８４の厚さ寸法よりも大きく、第２開離嵌挿部材８０における第１係脱部８２ａの厚さ寸法よりも小さく設定されている。【０１６３】
そして、第１及び第２スライダー９０ａ，９０ｂのテープ挿通間隙の間隔が、第２開離嵌挿部材８０との間で上述のような関係を有していることにより、第１及び第２スライダー９０ａ，９０ｂに対して、第２開離嵌挿部材８０を第１及び第２スライダー９０ａ，９０ｂのテープ挿通間隙の間隔を介して円滑に挿入することが可能となる。【０１６４】
次に、上述のような構成を有する本実施例３のスライドファスナー６１について、第１及び第２ファスナーストリンガー６２ａ，６２ｂが分離している状態から、左右のエレメント列６４を噛合させてスライドファスナー６１を閉鎖する場合について、図１５〜図１７を参照しながら説明する。なお、図１５〜図１７においては、第１及び第２開離嵌挿部材７０，８０の関係を判り易くするために、第１及び第２スライダー９０ａ，９０ｂを仮想線で示している。【０１６５】
先ず、第１スライダー９０ａと第２スライダー９０ｂを、第１ファスナーストリンガー６２ａのエレメント列６４に沿って後方へ向けて摺動させる。このとき、第２スライダー９０ｂを、その上下翼板の肩口側端部が第１開離嵌挿部材７０のスライダー保持部７２に当接する摺動端部の位置に移動させ、また、第１スライダー９０ａを当該第２スライダー９０ｂに当接する摺動端部の位置に移動させる。これにより、スライダー保持部７２に第１及び第２スライダー９０ａ，９０ｂを保持することができる。【０１６６】
更に、摺動端部に移動した第２スライダー９０ｂは、同第２スライダー９０ｂの停止爪９７をエレメント案内路内に突出させることにより、停止爪９７が第１開離嵌挿部材７０の収容凹部７４に収容される。これにより、第２スライダー９０ｂの停止状態が保持されて、第２スライダー９０ｂが仮固定される。【０１６７】
上述のように第１及び第２スライダー９０ａ，９０ｂを摺動端部の位置で保持した状態において、図１５に示したように、第２ファスナーストリンガー６２ｂの第２開離嵌挿部材８０を、第２スライダー９０ｂの左斜め後方から接近させる。更に、第２開離嵌挿部材８０の第２本体部８１を、第２スライダー９０ｂのテープ挿通間隙を介して第１及び第２スライダー９０ａ，９０ｂのエレメント案内路内に挿入するとともに、同第２開離嵌挿部材８０の第２係脱部８２ｂを第２スライダー９０ｂの上下翼板の肩口側端縁部に係止させる（引っ掛ける）。これにより、第２開離嵌挿部材８０を、第１開離嵌挿部材７０に対して所定の位置に位置合わせすることができる。【０１６８】
次に、第２スライダー９０ｂに係止させた第２開離嵌挿部材８０を、第２係脱部８２ｂと第２スライダー９０ｂとが当接している部分を軸にして、正面側から見て時計周りの方向（挿入方向）に回動させる。このとき、第２開離嵌挿部材８０の第２スライダー９０ｂに挿入される第２本体部８１の厚さ寸法は、第２スライダー９０ｂのテープ挿通間隙の間隔よりも小さく、また、第２開離嵌挿部材８０の第１スライダー９０ａに挿入される隆起部８４の厚さ寸法は、第１スライダー９０ａのテープ挿通間隙の間隔よりも小さく設定されている。【０１６９】
従って、第２開離嵌挿部材８０を時計周りの方向（挿入方向）に回動させることによって、図１６に示したように、第２開離嵌挿部材８０の第１係脱部８２ａを第２スライダー９０ｂの上下フランジ部９５の肩口側端部に係止させるとともに、第２開離嵌挿部材８０を、第１及び第２スライダー９０ａ，９０ｂのテープ挿通間隙を介してエレメント案内路内に容易に挿入することができる。【０１７０】
またこの場合、第１及び第２スライダー９０ａ，９０ｂは第１開離嵌挿部材７０側の摺動端部に保持されているため、第２開離嵌挿部材８０を回動させて第１及び第２スライダー９０ａ，９０ｂのエレメント案内路内に挿入する際に、第２開離嵌挿部材８０の突起部８５を第１スライダー９０ａの肩口からエレメント案内路内に挿入することができる。このように突起部８５が第１スライダー９０ａのエレメント案内路内に挿入されることにより、第２開離嵌挿部材８０が、第１開離嵌挿部材７０に対して、左右のエレメント列６４を適切に噛合させることが可能な正規位置に位置決めされる。【０１７１】
第２開離嵌挿部材８０が正規位置に位置決めされた後、第１スライダー９０ａを閉鎖方向である上方に摺動させる。このとき、本実施例３のスライドファスナー６１では、突起部８５が前述のように第１寸法Ａ＜第３寸法Ｃの関係を満たしており、且つ、突起部８５が第１スライダー９０ａの案内柱９４とフランジ部９５との間を通過する際に第１寸法Ａの向きと第３寸法Ｃの向きとを略平行にすることができる。【０１７２】
このため、突起部８５を第１スライダー９０ａに引っ掛からせることなく、第１スライダー９０ａの案内柱９４とフランジ部９５との間に円滑に挿通させることができる。これによって、第２開離嵌挿部材８０の係止凸部８３を第１開離嵌挿部材７０の係止凹部７３内に挿入して係止させるとともに、左右のエレメント列６４を第１スライダー９０ａの肩口からエレメント案内路に導入して噛み合わせることができるため、スライドファスナー６１を円滑に閉鎖することができる。【０１７３】
なお、第１及び第２ファスナーストリンガー６２ａ，６２ｂが閉鎖状態にある場合、第２開離嵌挿部材８０の第１係脱部８２ａが第２スライダー９０ｂの上下フランジ部９５に係止されているため、第２開離嵌挿部材８０が第２スライダー９０ｂから抜け出ることを防止できる。これにより、例えば第２スライダー９０ｂが第１開離嵌挿部材７０に保持されている状態で、第１及び第２ファスナーストリンガー６２ａ，６２ｂが横引き力を受けたとしても、第１及び第２開離嵌挿部材７０，８０が第２スライダー９０ｂから抜け出すことはなく、左右のエレメント列６４が後端部側から分離することを防止できる。【０１７４】
また、第１及び第２ファスナーストリンガー６２ａ，６２ｂが閉鎖状態にある場合、スライダー保持部７２に保持されている第２スライダー９０ｂを前方に摺動させることにより、左右のエレメント列６４を後端側から容易に分離させることができる。【０１７５】
一方、本実施例３のスライドファスナー６１では、例えば第１開離嵌挿部材７０に対して第２開離嵌挿部材８０の位置合わせをする際に、第２開離嵌挿部材８０を第１スライダー９０ａの左斜め前方から接近させて、第２開離嵌挿部材８０の第２係脱部８２ｂを第２スライダー９０ｂに係止させずに、突起部８５を第１スライダー９０ａの肩口からエレメント案内路内に挿入することによって、第２開離嵌挿部材８０が、第１開離嵌挿部材７０に対して、正規位置から外れた非正規位置で保持されることがある。【０１７６】
このように第２開離嵌挿部材８０が非正規位置で保持されている場合、本実施例３のスライドファスナー６１では、突起部８５が前述のように第３寸法Ｃ＜第２寸法Ｂの関係を満たしているため、第２開離嵌挿部材８０の突起部８５を第１スライダー９０ａのエレメント案内路内に挿入した後に、第１スライダー９０ａを閉鎖方向に向けて摺動させようとしても、突起部８５が第１スライダー９０ａの案内柱９４とフランジ部９５の両方に当接して引っ掛かり、第１スライダー９０ａの摺動を妨げることができる。【０１７７】
特にこの場合、突起部８５が第２寸法Ｂの向きを第３寸法Ｃの向きと略平行となるよう姿勢で第１スライダー９０ａのエレメント案内路内に挿入されていることにより、突起部８５が第１スライダー９０ａの案内柱９４とフランジ部９５の両方に確実に当接するため、第１スライダー９０ａが閉鎖方向に摺動することを防げる。【０１７８】
これにより、スライドファスナー６１の使用者は、第２開離嵌挿部材８０が非正規位置に保持されている状態のときには、第１スライダー９０ａを誤ってファスナー閉鎖方向に移動させることができなくなるため、左右のエレメント列６４が不正に噛み合わせられてしまうことを確実に防止できる。
【符号の説明】
【０１７９】
１                スライドファスナー
２ａ              第１ファスナーストリンガー
２ｂ              第２ファスナーストリンガー
３                ファスナーテープ
３ａ              芯紐部
４                エレメント列
５                ファスナーエレメント
５ａ              胴部
５ｂ              首部
５ｃ              噛合頭部
５ｄ              肩部
５ｅ              ヒレ部
６                スライドファスナー
１０                第１開離嵌挿部材
１１                スライダー保持部
１１ａ              内側側縁部
１１ｂ              対向側縁部
１２                枢止部
１２ａ              外周面
１２ｂ              内周面
１３                補強部
１４                凹溝部
１５                段部
１６                枢動空間
１７                窪み部
２０                第２開離嵌挿部材
２１                本体部
２２                被枢止部
２３                突条部
２４                突起部
２４ａ              突起本体部
２４ｂ              噛み合い部
２４ｃ              側面部
２４ｄ              斜面部
２４ｅ              対向端部（角部）
２４ｆ              第１凹部
２４ｇ              第２凹部
３０                スライダー
３１                スライダー胴体
３２                上翼板
３３                下翼板
３４                案内柱
３５                フランジ部
３６                引手取付柱
３７                停止爪
３８                エレメント案内路
４０                第２開離嵌挿部材
４４                突起部
４５                第２開離嵌挿部材
４９                突起部
４９ｃ              側面部
４９ｅ              対向端部（角部）
４９ｈ              対向側面部
５０                第１開離嵌挿部材
５１                スライダー保持部
５１ｃ              切欠き部
５２                枢止部
５２ｂ              内周面
５３                補強部
５４                凹溝部
５５                段部
５６                枢動空間
５８                膨大部
５９                マーク
６１                スライドファスナー
６２ａ              第１ファスナーストリンガー
６２ｂ              第２ファスナーストリンガー
６３                ファスナーテープ
６３ａ              芯紐部
６４                エレメント列
６５                ファスナーエレメント
６６                補強部
７０                第１開離嵌挿部材
７１                第１本体部
７２                スライダー保持部
７３                係止凹部
７３ａ              壁面部
７４                収容凹部
７４ａ              壁面部
７５                補助係止部
８０                第２開離嵌挿部材
８１                第２本体部
８２                スライダー係脱部
８２ａ              第１係脱部
８２ｂ              第２係脱部
８２ｃ              挿入溝
８３                係止凸部
８４                隆起部
８４ａ              抜止用隆起部
８４ｂ              位置保持用隆起部
８５                突起部
８５ａ              突起本体部
８５ｂ              噛み合い部
８５ｃ              側面部
８５ｄ              斜面部
８５ｅ              対向端部（角部）
８６                挿入凹部
８７                リブ部
９０ａ              第１スライダー
９０ｂ              第２スライダー
９１                スライダー胴体
９４                案内柱
９５                フランジ部
９７                停止爪
【図１】
0005414895.tif 000002
【図２】
0005414895.tif 000003
【図３】
0005414895.tif 000004
【図４】
0005414895.tif 000005
【図５】
0005414895.tif 000006
【図６】
0005414895.tif 000007
【図７】
0005414895.tif 000008
【図８】
0005414895.tif 000009
【図９】
0005414895.tif 000010
【図１０】
0005414895.tif 000011
【図１１】
0005414895.tif 000012
【図１２】
0005414895.tif 000013
【図１３】
0005414895.tif 000014
【図１４】
0005414895.tif 000015
【図１５】
0005414895.tif 000016
【図１６】
0005414895.tif 000017
【図１７】
0005414895.tif 000018
【図１８】
0005414895.tif 000019
【図１９】
0005414895.tif 000020
【図２０】
0005414895.tif 000021